(57)【要約】本発明は、人を識別するシステムに係り、このシステムは、人の少なくとも片方の足（２０）により表面上に与えられる圧力の分布を検出する手段と、多数の人の、検出された圧力分布パターン（Ａ、Ｂ、Ｃ）と関連付けられる人識別コード（Ｘ、Ｙ）を有するデータを格納する手段と、圧力分布パターンの一致が見つかるまで、検出された圧力分布パターン（Ａ）を格納された圧力分布パターン（Ａ、Ｂ、Ｃ）と比較する手段を有する。本発明は更に、人を識別する方法に係る。人は、少なくとも片方の足により表面上に与えられる圧力の分布に基づいて識別される。ユーザが、片足又は両足をその表面上に置くと、圧力分布が検出される。つついて、検出された圧力分布パターンは、記憶媒体内に格納された圧力分布パターンと比較される。各格納された圧力分布パターンは、異なるユーザに関連付けられる。圧力分布パターンの一致が見つかると、そのユーザの身分は明らかとなる。
2005537581.tif 000002
【特許請求の範囲】
【請求項１】
人を識別するシステムであって、
前記人の少なくとも片方の足により表面上に与えられる圧力の分布を検出する手段と、
多数の人の、検出された圧力分布パターンと関連付けられる人識別コードを有するデータを格納する手段と、
圧力分布パターンの一致が見つかるまで、検出された圧力分布パターンを格納された圧力分布パターンと比較する手段と、
を有するシステム。
【請求項２】
前記圧力分布検出手段は、マトリクスセンサを有することを特徴とする請求項１記載のシステム。
【請求項３】
前記表面は、前記人の少なくとも片方の足を受けるプラットホームを有し、
前記圧力分布検出手段は、前記プラットホーム内に導入される層を有することを特徴とする請求項１又は２記載のシステム。
【請求項４】
前記圧力分布検出手段は、電気接触点のマトリクスを有し、
前記電気接触点間に圧力に依存する導電性ゴムが配置されることを特徴とする請求項１乃至３のうちいずれか一項記載のシステム。
【請求項５】
前記検出された圧力分布パターンを格納する手段は、記憶媒体を有するプロセッサを有することを特徴とする請求項１記載のシステム。
【請求項６】
前記プロセッサは更に、検出された圧力分布パターンを前記格納された圧力分布パターンとを比較する比較器を有することを特徴とする請求項５記載のシステム。
【請求項７】
体重測定装置のユーザを識別するシステムを有することを特徴とする請求項１乃至６のうちいずれか一項記載のシステム。
【請求項８】
人を識別する方法であって、
前記人の少なくとも片方により表面上に与えられる圧力の分布を検出する段階と、
多数の人の、検出された圧力分布パターンと関連付けられる人識別コードを有するデータを格納する段階と、
圧力分布パターンの一致が見つかるまで、検出された圧力分布パターンを格納された圧力分布パターンと比較する段階と、
を有することを特徴とする方法。
【請求項９】
前記方法は、体重測定装置のユーザを識別する方法であることを特徴とする請求項８記載の方法。
【発明の詳細な説明】
【技術分野】
【０００１】
本発明は、人を識別するシステムに係る。
【０００２】
本発明は更に、人を識別する方法に係る。
【背景技術】
【０００３】
人を識別するシステム及び方法は、一般的に知られている。このようなシステム及び方法は、例えば、体重データを格納するための記憶媒体を有する体重測定装置の分野において一般的に使用される。このような体重測定装置を、ユーザのグループによる使用に適するようにするために、体重データには、そのグループの各メンバーに関連付けられる特定のユーザ識別コードがラベル付けられる。このようにすると、各メンバーの体重データの混合が回避され、また、各メンバーは、自分の格納されたデータを取出しすることが可能である。体重測定装置の記憶媒体は、データが格納される幾つか異なるレジスタを有する比較的単純なメモリバンクであり得る。任意のセキュリティ手段が無いので、各ユーザは、各レジスタ内の格納されたデータへのアクセスを有する。従って、各ユーザのプライバシーが重要な状況では、記憶媒体は安全にされることが必要である。このために、従来技術では、指紋認識、又は、個人識別コードによる識別がしばしば用いられる。ユーザが、自分の格納データを取出しすることが可能とするには、ユーザは、自分の身分を証明する必要がある。指紋認識の場合、指先を指紋検出パッドに押し付けることにより、また、個人識別コードによる識別の場合、個人識別番号（ＰＩＮ）といった個人識別コードを入力することにより身分を証明する。
【０００４】
周知の識別方法には、幾つかの不利点がある。第一に、ユーザが自分の格納された体重データを取出ししたいとき及び／又は新しい体重データを格納したいときにいつでもコードを入力する又は指紋検出パッドに指先を置くことは、ユーザにとって面倒である。第二に、個人識別コードが使用されるのならば、間違いが起きる及び新しい体重データが間違ったコードと共に格納される場合がある。
【発明の開示】
【発明が解決しようとする課題】
【０００５】
本発明は、体重測定装置のユーザが積極的に自分の身分を証明する必要なく体重測定装置のユーザを識別する方法を提供することを目的とする。
【課題を解決するための手段】
【０００６】
本発明では、この目的は、本発明のシステムにより達成される。本発明のシステムは、ある人の少なくとも片方の足により表面上に与えられる圧力の分布を検出する手段と、多数の人の、検出された圧力分布パターンと関連付けられる人識別コードを有するデータを格納する手段と、圧力分布パターンの一致が見つかるまで、検出された圧力分布パターンを格納された圧力分布パターンと比較する手段とを有する。本発明は、誰もが一意の体重分布を有し、その結果、少なくとも片方で測定可能な一意の圧力分布パターンがあるという認識に基づいている。ユーザの足により与えられる圧力の分布が検出される。次に、その圧力分布パターンは、現在検出された圧力分布パターンを特定のユーザに関連付けられた前に検出された圧力分布パターンと比較することにより、そのユーザを識別するよう用いることが可能である。本発明のシステムは、体重測定装置に使用するのが特に有利であり、というのは、体重測定のユーザは、体重を決定するためにいずれにせよ装置上に立たなければならないからである。このようにして、ユーザは本人であることを確認するために、ユーザからの更なる動作は必要としない。本発明のシステムは、例えば、人が部屋や家に入る前に立つマットに適用しても有利である。このようにして、マット上に立つ人の身元は容易に検出可能であり、この検出される身元は、例えば、室内又は屋内の特定の個人的な設定を作動させるために用いてもよい。
【発明を実施するための最良の形態】
【０００７】
本発明を、図面を参照しながら以下に詳細に説明する。図面中、同様の部分は、同じ参照符号により示す。
【０００８】
図１は、ユーザの足２０を受ける体重測定プラットホーム１０を有する体重測定装置１を示し、図２は、この体重測定装置１の構成要素を示す。体重測定装置１の外観について多くの可能性があるが、ユーザがその上に立つことができるべきであることが重要である。体重測定装置１は、一対のヘルスメータとして構成されてもよいが、例えば、病院又は（ダイエット）クリニックにおいて使用するための専門的職業用の体重計として構成されてもよい。体重測定装置１は、ユーザの体重を決定する任意の種類の好適な体重検出手段３０を有し得る。
【０００９】
本発明の１つの重要な面では、体重測定装置１は、ユーザの足２０により与えられる圧力の分布を検出する、好適には、マトリクスセンサ４０の形の圧力分布検出手段を有する。このコンテキストでは、「マトリクスセンサ」という用語は、少なくとも２つの異なる位置において検出を実行可能なセンサを指すよう用いる。通常は、マトリクスセンサは、２よりもはるかに多くの検出位置を有する。体重測定装置１の一部であるマトリクスセンサ４０についても同様のことが言える。
【００１０】
マトリクスセンサ４０は、体重測定プラットホーム１０内に導入される層として構成される。１つの可能な実施例では、マトリクスセンサ４０は、電気接触点のマトリクスを有し、これらの接触点間に圧力に依存する導電性ゴムが配置される。
【００１１】
体重検出手段３０と圧力分布検出手段４０の他に、体重測定装置１は、例えば、ユーザの体脂肪率を検出するといった他の種類の検出手段も有してもよい。
【００１２】
実際において、体重検出手段３０と圧力分布検出手段４０は、１つのセンサとして一体にされてもよい。例えば、上述したマトリクスセンサ４０を、圧力分布並びに体重を検出するために用いることが可能である。その場合、体重は、検出された圧力分布パターンＡから得られる。というのは、検出位置において検出された圧力の合計は、体重を示唆するものだからである。
【００１３】
体重測定装置１は更に、体重検出手段３０及びマトリクスセンサ４０により生成される信号を処理するプロセッサ５０を有する。図１は、マトリクスセンサ４０により検出された圧力分布パターンＡがプロセッサ５０への入力データとして作用することを概略的に示し、プロセッサ５０は、現在のユーザの身元Ｘを決定し、例えば、体重履歴Ｘ’であるこの特定のユーザの体重データをディスプレイ６０に送信する。ディスプレイ６０は、体重測定装置１がコンパクトで平らであることが可能であるよう体重測定プラットホーム１０と同じ高さに位置付けられることが好適である。或いは、ディスプレイ６０は、図１に示すものとは異なり、ユーザの目の高さに位置付けられてもよい。
【００１４】
以下において、プロセッサ５０の中に据え付けられるアルゴリズムの可能性を説明する。このアルゴリズムのフローチャートは、図３に例示的に示す。
【００１５】
ユーザが、体重測定装置１上に足２０を置くと、体重検出手段３０及びマトリクスセンサ４０が、ユーザの体重により作動される。体重検出手段３０は、ユーザの体重を表す信号をプロセッサ５０に送信し、するとすぐ、マトリクスセンサ４０が、ユーザの足２０により与えられる圧力の分布を表す信号をプロセッサ５０に送信する。
【００１６】
プロセッサ５０は、様々なユーザの体重データが格納された記憶媒体５１を有する。全ての特定のユーザの体重データは、特定のユーザＩＤ（ＩＤ＝識別）コードに結合される。格納された体重データは、ユーザの体重分布パターンＡ、Ｂ、Ｃを有する。各ユーザが、自分の体重履歴をディスプレイ６０上に表示することを選択可能であるよう体重データの日にちと、更に可能であれば時間も記憶媒体５１内に格納されることが有利である。
【００１７】
現在のユーザを識別可能とするために、プロセッサ５０は、マトリクスセンサ４０により検出された圧力分布パターンＡと、記憶媒体５１において格納された圧力分布パターンＡ、Ｂ、Ｃとを比較する比較器５２を有する。
【００１８】
比較動作は、任意の好適なやり方で行われ得る。例えば、２つの圧力分布パターンの画像が比較され、そして、画像間の差がベクトルに変換される。画像は、差、及び、従って、ベクトルが可能な限り小さいよう位置付けられる。そのような場合、ベクトルのサイズは、圧力分布パターンにおいて一致があるか無いかに関して判断するよう用いることが可能である。
【００１９】
比較器５２により行われる比較動作により２つの可能な結果がある。第１の可能な結果は、圧力分布パターンが一致していることであり、第２の可能な結果は、圧力分布パターンは一致していないことである。
【００２０】
第１の可能な結果の場合、プロセッサ５０は、現在の体重データを、一致した圧力分布パターンＡに関連付けられるユーザＩＤコードＸに結合する。現在のユーザの個人的な希望に応じて、現在の体重データをユーザＩＤコードＸと共に記憶媒体５１内に格納するか、及び／又は、ユーザＩＤコードと共に格納された体重データＸ’を記憶媒体５１から取出ししディスプレイ６０により表示し得る。ユーザは、入力装置７０によって、プロセッサ５０に自分の希望を伝えることが可能である。例えば、取出しされた体重データがディスプレイ６０上に表示される方法に関する個人的な嗜好といった幾つかの個人的な嗜好が、記憶媒体５１内に既に入れられている場合もある。
【００２１】
第２の可能な結果の場合、プロセッサ５０は、ユーザＩＤコードＸ及び幾つかの追加のデータ、例えば、上述した体重データがディスプレイ６０上に表示される方法に関する個人的な嗜好を入力する可能性を提供する。ユーザが入力装置７０によりユーザＩＤコードＸを入力すると、プロセッサ５０はこのユーザＩＤコードＸを検出された圧力分布パターンＡに結合し、これらのデータを記憶媒体５１に格納する。更に、他の現在の体重データも、新しく入力されたユーザＩＤコードに結合される。その場合、ユーザは、これらの体重データも記憶媒体５１内に格納するよう選択することが可能である。
【００２２】
体重測定装置１により提供される１つの重要な利点は、ユーザが、最初に体重測定装置１を一度用いると自分の身分を積極的に証明する必要がなく、ユーザの特定の圧力分布パターンＡに関するデータとユーザのユーザＩＤコードＸは記憶媒体５１内に格納されることである。ユーザが足２０を、体重測定装置１の体重測定プラットホーム１０上に置くと、マトリクスセンサは、足１０により与えられる圧力の分布を検出し、比較器５２は、検出された圧力分布パターンＡを、前に格納された圧力分布パターンＡ、Ｂ、Ｃとを比較する。この処理のある時点において、検出された圧力分布パターンＡは、ユーザの格納された圧力分布パターンと一致し、このユーザのユーザＩＤコードＸが見つかる。従って、本発明では、ユーザの識別は、ユーザの足２０により与えられる圧力の分布の検出により自動的に行われる。
【００２３】
プロセッサ５０は、アルゴリズムに従って体重データを処理するが、このアルゴリズムは、ユーザの体重データは、ユーザが自動的に識別されたとき又はユーザがユーザＩＤコードを手動で入力したときのみに表示されるようにする。このようにして、体重測定装置１の個々のユーザのプライバシーを保証することが可能である。
【００２４】
当業者には、本発明の範囲は、上述した例に制限されるものではなく、請求の範囲に記載される本発明の範囲から逸脱することなく上述した例に幾つか修正及び変更を加えることが可能であることは明らかであろう。本発明のシステムは、例えば、人がその上に立つ床の特定の領域に組み込まれることが有利である。このようにすると、その領域上に立つ人の本人確認は、容易に検出可能であり、その身元は、例えば、室内の特定の個人的な設定を作動させるか、又は、部屋への入室を許可するよう使用され得る。このために、裸足の圧力分布パターンだけでなく、靴を履いた足の圧力分布パターンも本発明のシステムにより人を識別するために用い得る。
【図面の簡単な説明】
【００２５】
【図１】本発明が一般的に処理する方法を示す図である。
【図２】本発明の体重測定装置の構成要素を示す図である。
【図３】本発明の方法を実行する際に適用されるアルゴリズムのフローチャートを示す図である。
【図１】
2005537581.tif 000003
【図２】
2005537581.tif 000004
【図３】
2005537581.tif 000005
【国際調査報告】
2005537581.tif 000006
2005537581.tif 000007
2005537581.tif 000008